(57)【要約】【課題】キャッピング時の破損防止を図ることができる合成樹脂製キャップを提供すること。【解決手段】容器口部の外周に形成された雄ねじに螺合する雌ねじ５が設けられたスカート壁３と、該スカート壁３の下部に環状弱化部６を介して連結されたタンパーエビデンスバンド７とを具備したキャップ１であって、前記タンパーエビデンスバンド７の内周側に、前記容器口部の外周に設けられた環状突起に下方から係止可能なフック８が周方向に間隔をおいて複数設けられ、また、前記タンパーエビデンスバンド７の内周側において、前記フック８の上方には、前記環状突起の外周面に当接する当接部９が設けられ、さらに、前記タンパーエビデンスバンド７の内周側において、前記フック８の下端は、前記タンパーエビデンスバンド７の下端から１．０ｍｍ以内に位置している。【選択図】図１
2017124837.tif 000002
【特許請求の範囲】
【請求項１】
容器口部の外周に形成された雄ねじに螺合する雌ねじが設けられたスカート壁と、該スカート壁の下部に環状弱化部を介して連結されたタンパーエビデンスバンドとを具備したキャップであって、
前記タンパーエビデンスバンドの内周側に、前記容器口部の外周に設けられた環状突起に下方から係止可能なフックが周方向に間隔をおいて複数設けられ、
また、前記タンパーエビデンスバンドの内周側において、前記フックの上方には、前記環状突起の外周面に当接する当接部が設けられ、
さらに、前記タンパーエビデンスバンドの内周側において、前記フックの下端は、前記タンパーエビデンスバンドの下端から１．０ｍｍ以内に位置していることを特徴とする合成樹脂製キャップ。
【請求項２】
前記スカート壁の上部から前記タンパーエビデンスバンドの下部にまで延びる通し溝が複数設けられ、各通し溝は、前記スカート壁の前記雌ねじを分断し、隣り合う前記フックの間を通るように延びている請求項１に記載の合成樹脂製キャップ。
【請求項３】
前記フックは７個以上の奇数個設けられている請求項１又は２に記載の合成樹脂製キャップ。
【発明の詳細な説明】
【技術分野】
【０００１】
本発明は、例えば、飲料物等の内容物を収容する容器の口部に装着される合成樹脂製キャップに関する。
【背景技術】
【０００２】
飲料物等の内容物を収容する容器の口部に装着されるキャップとして、一目で開栓の有無を確認可能に構成されたものが広く用いられている。このようなキャップとして、容器口部の雄ねじに螺合する雌ねじが設けられたスカート壁を有するキャップ本体と、スカート壁の下部に環状弱化部を介して連結されたタンパーエビデンスバンドとを具備するものが知られている。
【０００３】
上記従来のキャップでは、容器口部に装着された状態からの開栓操作に伴い、タンパーエビデンスバンドの内周に設けられたフック（係止突起）が容器口部の外周に設けられた環状突起（係止段部）に係止した後、タンパーエビデンスバンドとスカート壁とを連結するブリッジが破断され、キャップ本体とタンパーエビデンスバンドとが互いに分離される（特許文献１参照）。従って、ブリッジの破断の有無を視認することにより、開栓操作が行われたか否かを容易に確認することができる。
【先行技術文献】
【特許文献】
【０００４】
【特許文献１】特開２０１５−８１１０３号公報
【発明の概要】
【発明が解決しようとする課題】
【０００５】
しかし、従来の合成樹脂製キャップでは、タンパーエビデンスバンドの下部が比較的肉薄であり、この部分が容器口部へのキャッピング時に内側に折れて破損しやすいという問題がある。
【０００６】
本発明は上述の事柄に留意してなされたもので、その目的は、キャッピング時の破損防止を図ることができる合成樹脂製キャップを提供することにある。
【課題を解決するための手段】
【０００７】
上記目的を達成するために、本発明に係る合成樹脂製キャップは、容器口部の外周に形成された雄ねじに螺合する雌ねじが設けられたスカート壁と、該スカート壁の下部に環状弱化部を介して連結されたタンパーエビデンスバンドとを具備したキャップであって、前記タンパーエビデンスバンドの内周側に、前記容器口部の外周に設けられた環状突起に下方から係止可能なフックが周方向に間隔をおいて複数設けられ、また、前記タンパーエビデンスバンドの内周側において、前記フックの上方には、前記環状突起の外周面に当接する当接部が設けられ、さらに、前記タンパーエビデンスバンドの内周側において、前記フックの下端は、前記タンパーエビデンスバンドの下端から１．０ｍｍ以内に位置している（請求項１）。
【０００８】
上記合成樹脂製キャップにおいて、前記スカート壁の上部から前記タンパーエビデンスバンドの下部にまで延びる通し溝が複数設けられ、各通し溝は、前記スカート壁の前記雌ねじを分断し、隣り合う前記フックの間を通るように延びていてもよい（請求項２）。
【０００９】
上記合成樹脂製キャップにおいて、前記フックは７個以上の奇数個設けられていてもよい（請求項３）。
【発明の効果】
【００１０】
本願発明では、キャッピング時の破損防止を図ることができる合成樹脂製キャップが得られる。
【００１１】
すなわち、本願の各請求項に係る発明の合成樹脂製キャップでは、キャッピングの際、仮に容器口部が比較的肉薄であるタンパーエビデンスバンドの下端部（タンパーエビデンスバンドの下端からフックの下端までの部分）に接触した場合でも、タンパーエビデンスバンドの下端部は短いので内側に折れ曲がって破損し難い。
【００１２】
請求項２に係る発明の合成樹脂製キャップでは、キャップの成形後、金型からの無理抜きに伴う成形不良を抑えることができる。
【００１３】
請求項３に係る発明の合成樹脂製キャップでは、フックの横幅及び突出量を抑えて金型からの無理抜きの際の離型抵抗を小さくしつつ、容器口部の外周の環状突起への係止を確実に行わせることが可能となる。
【図面の簡単な説明】
【００１４】
【図１】本発明の一実施の形態に係る合成樹脂製キャップの構成を概略的に示す縦断面図である。
【図２】（Ａ）は前記合成樹脂製キャップの構成を概略的に示す底面図、（Ｂ）は（Ａ）のＢ部拡大図である。
【図３】図２（Ａ）のＸ−Ｘ線切断端面図であり、合成樹脂製キャップの上部の図示は省略している。
【図４】前記合成樹脂製キャップの雌ねじの展開図である。
【発明を実施するための形態】
【００１５】
本発明の実施の形態について図面を参照しながら以下に説明する。
【００１６】
図１及び図２（Ａ）に示す合成樹脂製キャップ（以下、キャップという）１は、例えばペットボトル等の図示しない容器の口部に装着されて使用されるものであり、コンプレッション成形又はインジェクション成形によって、ポリエチレンで一体的に成形されている。なお、キャップ１を形成する素材は、特に限定されるものではなく、本実施形態で用いたポリエチレンの他、ポリプロピレン等が好適に用いられる。
【００１７】
そして、キャップ１は、平面視において略円形状の天壁２と、この天壁２の外周部から下向きに延びる略円筒状のスカート壁３を有している。ここで、スカート壁３の外周面にはローレット溝４を、内周面には雌ねじ５を設けてあり、この雌ねじ５は容器口部の外周に形成された雄ねじ（図示していない）に結合可能である。
【００１８】
また、キャップ１は、未開封（開栓が一度もされていないこと）を証明する機能を有するピルファープルーフキャップであり、スカート壁３の下部には、スカート壁３の全周にわたって延びる環状弱化部６を介してタンパーエビデンスバンド（以下、単に「バンド」という）７を連結してある。
【００１９】
すなわち、環状弱化部６は、スカート壁３とバンド７とを上下に画するものであり、スカート壁３及びバンド７の周方向に断続して延びる（ミシン目状の）スリットと、隣り合うスリットの間に存在するブリッジとで構成され、ブリッジは所定の力で引っ張られると破断する。
【００２０】
そして、このバンド７の内周側には、内向きに突出し、内側への突出量が上側ほど増大するように構成されたフック８を、周方向に間隔をおいて複数（例えば９個）設けてある。各フック８は、キャップ１が容器口部に装着された状態で、容器口部の外周において雄ねじよりも下方に形成された図示しない環状突起（ビード部）の略下側へ位置し、開栓操作によって当該環状突起に係止する。すなわち、フック８は、環状突起に下方から係止可能に構成されている。
【００２１】
また、バンド７の内周側において、フック８の上方には、容器口部への装着過程において環状突起の外周面に当接する当接部９が設けられている。この当接部９は、バンド７の周方向に延び、全周にわたって連続して設けられている。そして、容器口部に装着されたキャップ１を開栓する際、容器口部の環状突起の外周面に当接部９が当接することにより、キャップ１が斜めに持ち上がることが防止され、環状弱化部６が偏らずに略均一に破断するので、タンパーエビデンス性は良好となる。
【００２２】
さらに、バンド７の内周側において、フック８の下端は、バンド７の下端から１．０ｍｍ以内に位置している。換言すると、バンド７の下端からフック８の下端までの距離（バンド７の軸方向の距離）ｄ（図３参照）は、１．０ｍｍ以下であり、本例の距離ｄは０．４ｍｍである。これにより、キャップ１を容器口部に装着（キャッピング）する際、仮に容器口部が比較的肉薄であるバンド７の下端部（バンド７の下端からフック８の下端までの部分）７ａに接触した場合でも、バンド７の下端部７ａは短いので内側に折れ曲がって破損し難くなっている。しかも、図３に示すように、バンド７の下端部７ａの内周側に、先端側ほど内径が大きくなり、フック８に近づくほど内径が小さくなる湾曲面ないし傾斜面を設けておくことにより、この湾曲面ないし傾斜面が容器口部をバンド７の内側へガイド（センタリング）することになるので、上記破損の防止の確実化を図ることができる。
【００２３】
また、バンド７の内周面においてフック８が設けられていない部分の当接部９から下端部７ａまでの形状は、図３に一点鎖線で示すように、上下にストレートに延びている一方、フック８の縦断面は、バンド７の軸方向に延びる縦辺８ａと、この縦辺８ａの上端からバンド７の内側に向かって延び縦辺８ａに直交する横辺８ｂと、縦辺８ａ及び横辺８ｂをつなぐ斜辺８ｃとを有する略直角三角形状を呈する。そして、縦辺８ａと斜辺８ｃとがなす角度θは１°〜３０°、好ましくは１０°〜３０°であり、本例では２０°にしてある。
【００２４】
一方、本例のキャップ１は、図１に示すように、スカート壁３の上部からバンド７の下部にまで延びる通し溝１０を複数有し、各通し溝１０は、スカート壁３の雌ねじ５を分断し、隣り合うフック８の間を通るように延びている。ここで、雌ねじ５は、スカート壁３の内周面を螺旋状に周回するねじ山によって構成され、各通し溝１０によって周方向に等間隔に分断されている。すなわち、スカート壁３の内周面には、通し溝１０と、この通し溝１０により分断されたねじ山片１１が存在するねじ領域１２とが周方向に交互に並ぶ。
【００２５】
ここで、本例の雌ねじ５を構成するねじ山は、スカート壁３の内周面を螺旋状に二周していて、各ねじ領域１２には上下二段のねじ山片１１Ａ，１１Ｂが存在する（図４参照）。また、各ねじ領域１２の下方に一つのフック８が位置し、上段ねじ山片１１Ａの横幅が最も小さく、下段ねじ山片１１Ｂとフック８の横幅は略同一であり、本例では下段ねじ山片１１Ｂの横幅がフック８の横幅より若干大きくなっている。また、スカート壁３の内周面からの突出量は、上段ねじ山片１１Ａと下段ねじ山辺１１Ｂでは同一であり、これらの突出量に比べてフック８の突出量は小さくなっている（図２（Ａ）及び（Ｂ）参照）。
【００２６】
このような構成により、本例のキャップ１を成形後、金型からの無理抜きに伴う成形不良を抑えることができる。すなわち、キャップ１の成形の際、金型に注入した溶融樹脂の冷却後に、成形品の型抜きを行うのであるが、キャップ１の内周面に設けられた雌ねじ５（ねじ山片１１）やフック８は、成形品を金型から抜く際のアンダーカット部になっているため、成形品を金型から取り出すためには、成形品のバンド７側から払い出してアンダーカット部であるねじ山片１１及びフック８の無理抜きが必要となる。そして、本例のキャップ１では、キャップ１の内周面において、アンダーカット部となるねじ山片１１及びフック８の周方向の位置を揃えているので、離型抵抗を総合的に小さくすることができ、その結果、成形不良が抑えられることになる。
【００２７】
また、バンド７に設けるフック８の数は、７個以上１９個以下の奇数個とするのが好ましく、本例では９個である。ここで、フック８が５個以下であると、容器口部の外周の環状突起への係止を十分に行わせるために各フック８に必要となる横幅及び突出量が大きくなり、上述した離型抵抗の上昇を招来する。また、フック８が２１個以上であると、各フック８に十分な横幅及び突出量を持たせるのが困難となり、容器口部の外周の環状突起への係止が不十分となる恐れがある。そして、フック８が偶数個であると、バンド７の内周面においてフック８が存在しない部位どうしが対向する箇所が形成されてしまい、これにより、環状突起への係止力が弱くなる場合が生じる恐れがあるが、本例ではフック８を奇数個とすることにより、上記のような箇所が形成されず、環状突起への係止力が十分に保たれることになる。
【００２８】
なお、本発明は、上記の実施の形態に何ら限定されず、本発明の要旨を逸脱しない範囲において種々に変形して実施し得ることは勿論である。例えば、以下のような変形例を挙げることができる。
【００２９】
図４には、雌ねじ５を構成するねじ山が、スカート壁３の内周面を螺旋状に二周していて、各ねじ領域１２には上下二段のねじ山片１１Ａ，１１Ｂが存在する例を示しているが、雌ねじ５を構成するねじ山の周回数は、二周未満でも二周超でもよく、これに伴って、各ねじ領域１２に存在するねじ山片１１の数は一つでも三つ以上でもよい。
【００３０】
図１には、上段ねじ山片１１Ａより下段ねじ山片１１Ｂのほうが横幅が広い例を示しているが、これに限らず、例えば両者１１Ａ，１１Ｂの横幅は同一でもよい。
【００３１】
図１には、通し溝１０によって雌ねじ５を分断する例を示しているが、雌ねじ５を分断せず、通し溝１０をバンド７のみに設けるようにしてもよい。
【００３２】
図１には、キャップ１が別体のパッキンを持たないいわゆる１ピースキャップである例を示しているが、これに限らず、キャップ１は、別体のパッキンを有するいわゆる２ピースキャップであってもよい。
【００３３】
上記実施形態の雌ねじ５は３条ねじであるが、これに限らず、雌ねじ５が１条ねじ、２条ねじ等であってもよい。
【００３４】
なお、上記変形例どうしを適宜組み合わせてもよいことはいうまでもない。
【符号の説明】
【００３５】
１    キャップ
２    天壁
３    スカート壁
４    ローレット溝
５    雌ねじ
６    環状弱化部
７    バンド
８    フック
８ａ  縦辺
８ｂ  横辺
８ｃ  斜辺
９    当接部
１０    通し溝
１１    ねじ山片
１１Ａ  上段ねじ山片
１１Ｂ  下段ねじ山片
１２    ねじ領域
θ    角度
【図１】
2017124837.tif 000003
【図２】
2017124837.tif 000004
【図３】
2017124837.tif 000005
【図４】
2017124837.tif 000006